(57)【特許請求の範囲】
【請求項１】
キャビネットのケースの被取付け板に取り付けられる捕捉具と前記ケースの開口を閉じる扉に取り付けられる被捕捉具とから成り、前記捕捉具は、前記被取付け板に回り止め状態で固定される扉キャッチャーにおいて、前記捕捉具は、前記被取付け板の外面に沿わせて取り付けられ前記被取付け板の縁に掛け止めされるＬ字形の鉤部を有する回り止め片と前記回り止め片から延び前記被取付け板の貫通孔に入る１つの杆部に係入する係入孔を有する捕捉具本体とから成り、前記回り止め片の杆部と前記捕捉具の係入孔とは、相互に回り止めされる非円形面で係合していることを特徴とする扉キャッチャー。
【請求項２】
請求項１に記載の扉キャッチャーであって、前記回り止め片の杆部は、両側が平坦な外周面を有し、前記捕捉具本体の係入孔は、前記杆部の外周面が係合する両側が平坦な内面を有することを特徴とする扉キャッチャー。
【請求項３】
請求項２に記載の扉キャッチャーであって、前記捕捉具本体の係入孔は、前記回り止め片の杆部が前記平坦な内面に平行な方向に相対的に変位することができる長さ寸法を有することを特徴とする扉キャッチャー。
【請求項４】
請求項１乃至３のいずれかに記載の扉キャッチャーであって、前記回り止め片の杆部が入る前記被取付け板の貫通孔は、円形の孔であることを特徴とする扉キャッチャー。
【請求項５】
キャビネットのケースの被取付け板に回り止め状態で固定され、前記ケースの開口を閉じる扉に取り付けられた被捕捉具を捕捉する扉キャッチャー用捕捉具において、前記捕捉具は、前記被取付け板の外面に沿わせて取り付けられ前記被取付け板の縁に掛け止めされるＬ字形の鉤部を有する回り止め片と前記回り止め片から延び前記被取付け板の貫通孔に入る１つの杆部に係入する係入孔を有する捕捉具本体とから成り、前記回り止め片の杆部と前記捕捉具の係入孔とは、相互に回り止めされる非円形面で係合していることを特徴とする扉キャッチャー用捕捉具。
【発明の詳細な説明】
【技術分野】
【０００１】
本発明は、キャビネットのケースに扉を閉状態に保持する扉キャッチャー及びこの扉キャッチャーに用いられる捕捉具に関し、特にこの捕捉具を回り止め状態でケースに取り付ける構造の改良に関するものである。
【背景技術】
【０００２】
種々の用途に用いられるキャビネットは、ケースとこのケースに枢支して取り付けられた扉とから成っており、また扉をケースの開口に閉じる際に、扉が不本意に開かないように保持する扉キャッチャーを備えている。
【０００３】
一般に、この種の扉キャッチャーは、ケースの開口付近に取り付けられた捕捉具とこの捕捉具に相応して扉に取り付けられた被捕捉具とから成っており、扉がケースの開口を閉じると、扉側の被捕捉具がケース側の捕捉具に捕捉されて扉をケースに閉じた状態で保持するようにしている。この扉キャッチャーは、捕捉具に被捕捉具を磁気的に吸着する形態、捕捉具と被捕捉具の一方に湾曲片を有し他方にこの湾曲片が係入する弾性受け止め片を有し湾曲片を弾性受け片に抜け止め状態に保持する形態、その他種々の形態がある。
【０００４】
この種の扉キャッチャーの１つの先行技術が特許文献１の実開昭６１−１６８２７１号公報に開示されており、この従来技術の扉キャッチャーの捕捉具は、吸着金属片５から成っており、被捕捉具は、磁石３を保持する強磁性保持片１から成っており、吸着金属片５は、ケース６の天板内面に２つのねじで回り止め状態で固定している。
【０００５】
しかし、この特許文献１の扉キャッチャーにおいて、捕捉具側に磁石を保持する形態とすると、この捕捉具をケースの内面に回り止め状態で直接固定することが難しい。
【０００６】
ケースの天板に捕捉具を回り止め状態で取り付けるために、ケースの天板の前縁に掛け止めするＬ字形鉤部を有し天板の外面に沿わせた回り止め片を用いてこの回り止め片から延びて天板を貫通する２つの杆部が貫入する２つの貫入孔を捕捉具本体側に設けることが考えられる。しかし、キャビネッチがガラス又はアクリル板から成っている場合、２つの貫入孔をキャビネットの天板に形成すると、天板にひびが入り易く、好ましくない。
【先行技術文献】
【特許文献】
【０００７】
【特許文献１】実開昭６１-１６８２７１号公報
【発明の概要】
【発明が解決しようとする課題】
【０００８】
本発明が解決しようとする第１の課題は、キャビネットのケースの天板の如き被取付け板に１つの貫通孔を通して捕捉具を回り止め状態で取り付けることができる扉キャッチャーを提供することにある。
【０００９】
本発明が解決しようとする第２の課題は、キャビネットのケースの天板の如き被取付け板に１つの貫通孔を通して回り止め状態で取り付けることができる扉キャッチャー用捕捉具を提供することにある。
【課題を解決するための手段】
【００１０】
本発明の第１の課題解決手段は、キャビネットのケースの被取付け板に取り付けられる捕捉具と前記ケースの開口を閉じる扉に取り付けられる被捕捉具とから成り、前記捕捉具は、前記被取付け板に回り止め状態で固定される扉キャッチャーにおいて、前記捕捉具は、前記被取付け板の外面に沿わせて取り付けられ前記被取付け板の縁に掛け止めされるＬ字形の鉤部を有する回り止め片と前記回り止め片から延び前記被取付け板の貫通孔に入る１つの杆部に係入する係入孔を有する捕捉具本体とから成り、前記回り止め片の杆部と前記捕捉具の係入孔とは、相互に回り止めされる非円形面で係合していることを特徴とする扉キャッチャーを提供することにある。
【００１１】
本発明の第１の課題解決手段において、前記回り止め片の杆部は、両側が平坦な外周面を有し、前記捕捉具本体の係入孔は、前記杆部の外周面が係合する両側が平坦な孔とすることができ、この場合、前記捕捉具本体の係入孔は、前記回り止め片の杆部が前記平坦面に平行な方向に相対的に変位することができる長さを有するのが好ましい。
【００１２】
本発明の第１の課題解決手段において、前記回り止め片の杆部が入る前記被取付け板の貫通孔は、円形の孔とすることができる。
【００１３】
本発明の第２の課題解決手段は、キャビネットのケースの被取付け板に回り止め状態で固定され、前記ケースの開口を閉じる扉に取り付けられた被捕捉具を捕捉する扉キャッチャー用捕捉具において、前記捕捉具は、前記被取付け板の外面に沿わせて取り付けられ前記被取付け板の縁に掛け止めされるＬ字形の鉤部を有する回り止め片と前記回り止め片から延び前記被取付け板の貫通孔に入る１つの杆部に係入する係入孔を有する捕捉具本体とから成り、前記回り止め片の杆部と前記捕捉具の係入孔とは、相互に回り止めされる非円形面で係合していることを特徴とする扉キャッチャー用捕捉具を提供することにある。
【発明の効果】
【００１４】
本発明によれば、捕捉具本体は、回り止め片から延びてケースの被取付け板に入った１つの杆部が係入する係入孔を有し、この杆部と係入孔とは、非円形面で相互に係合しているので、回り止め片と捕捉具本体とは、被取付け板に１つの貫通孔を有するだけで回り止め状態で取り付けることができ、従って、例えば、複数の孔を接近して設けることができないガラス製又はアクリル製のケースの被取付け板に１つの貫通孔を設けるだけで捕捉具本体を回り止め状態で固定することができる。
【００１５】
また、捕捉具本体の係入孔は、回り止め片の杆部が平坦面に平行な方向に相対的に変位することができる長さを有すると、捕捉具本体を被取付け板の前縁に対して前後に位置調節することができので、被捕捉具に対する位置の設定を容易に行うことができる。
【図面の簡単な説明】
【００１６】
【図１】本発明の１つの実施の形態による扉キャッチャーを備えたキャビネットの半部の切り口を示し、同図（Ａ）乃至（Ｃ）は、それぞれ、このキャビネットの外側上方、外側下方及び内側下方から俯瞰して示す斜視図である。
【図２】図１のキャビネットの扉キャッチャーを断面で示し、同図（Ａ）乃至（Ｃ）は、それぞれ、図１（Ｃ）のＡ−Ａ線、Ｂ−Ｂ線及びＣ−Ｃ線の拡大断面図である。
【図３】図１及び図２のキャビネットの扉キャッチャーの捕捉具を分解して示し、同図（Ａ）は、上方から俯瞰した分解斜視図、同図（Ｂ）は、下方から俯瞰した分解斜視図である。
【図４】図１乃至図３の扉キャッチャーに用いられる捕捉具の回り止め片を示し、同図（Ａ）乃至（Ｄ）は、それぞれ、上方から見た斜視図、下方から見た斜視図、側面図及び下面図である。
【図５】図１乃至図３の扉キャッチャーに用いられる捕捉具の捕捉具本体を示し、同図（Ａ）乃至（Ｅ）は、それぞれ、上面図、上方から見た斜視図、下方から見た斜視図、同図（Ａ）のＤ−Ｄ線及びＥ−Ｅ線断面図である。
【図６】図１乃至図３の扉キャッチャーの被捕捉具を示し、同図（Ａ）は、その斜視図、同図（Ｂ）は、断面図である。
【図７】本発明の他の実施の形態による扉キャッチャーを示し、同図（Ａ）（Ｂ）は、それぞれ、扉の半開き状態及び閉じ状態でのキャビネットの水平断面図である。
【図８】図１乃至図７の扉キャッチャーを備えたキャビネットの扉閉じ状態の斜視図である。
【図９】図１乃至図７の扉キャッチャーを備えたキャビネットの扉開き状態の斜視図である。
【発明を実施するための形態】
【００１７】
本発明の１つの実施の形態による扉キャッチャー１０を図１乃至図６及び図８、図９を参照して以下に詳細に述べると、キャビネット１は、前面が開口するケース２とこのケース２の両側部に図示しない蝶番によって枢支されて左右に開く１対の扉半部３Ｌ、３Ｒから成る扉３とを含んでいる。
【００１８】
扉キャッチャー１０は、キャビネット１のケース２の天板の如き被取付け板（以下実施の形態の説明では「天板」と称する）２Ｔに回り止め状態で取り付けられる捕捉具２０と、この捕捉具２０に対応してケース２の開口２Ｈを閉じる扉３に取り付けられる被捕捉具３０とから成っている。
【００１９】
捕捉具２０は、天板２Ｔの外面に沿わせて取り付けられ天板２Ｔの前縁２ＴＥに掛け止めされるＬ字形の鉤部２２ＨＫを有する回り止め片２２と、この回り止め片２２から延び天板２Ｔの貫通孔２ＴＨを貫通する１つの杆部２２Ｒが係入する係入孔２４Ｈを有する捕捉具本体２４とから成っている。図１乃至図６の実施の形態では、捕捉具本体２４は、前面に磁石２４Ｍを有し、一方被捕捉具３０は、捕捉具本体２４の磁石２４Ｍに吸着される強磁性材料から形成されている。
【００２０】
回り止め片２２の杆部２２Ｒと捕捉具本体２４の係入孔２４Ｈとは、相互に回り止めされる非円形面で係合しており、図示の形態では、回り止め片２２の杆部２２Ｒは、両側が平坦な小判形状の外周面２２ＲＰを有し、捕捉具本体２４の係入孔２４Ｈは、回り止め片２２の杆部２２Ｒの小判形状の外周面２２ＲＰが係合する両側が平坦な内面を有する。
【００２１】
また、図示の形態では、捕捉具本体２４の係入孔２４Ｈは、回り止め片２２の杆部２２Ｒが平坦面に平行な方向に相対的に変位することができる長さ寸法Ｄ２４を有する。即ち、捕捉具本体２４の係入孔２４Ｈの平坦面に平行な方向の寸法Ｄ２４（図５(Ｄ)参照）は、杆部２２Ｒの平坦面に平行な方向の寸法Ｄ２２（図４（Ｄ）参照）よりも大きく設定されている。従って、捕捉具本体２４は、係入孔２４Ｈが回り止め片２２の杆部２２Ｒに沿って相対的に変位してケース２の天板２Ｔに対して前後に位置調節することができる。
【００２２】
図２（Ａ）から解るように、回り止め片２２の杆部２２Ｒは、その中央にねじ孔２２ＲＴを有し、また捕捉具本体２４の係入孔２４Ｈは、その内部に内鍔２４ＨＦを有し、捕捉具本体２４は、回り止め片２２の杆部２２Ｒに対して所定の前後位置に設定した上で、ねじ２６を係入孔２４Ｈに貫通し、回り止め片２２の杆部２２Ｒのねじ孔２２ＲＴにねじ込まれるが、この場合、ねじ２６は、捕捉具本体２４の係入孔２４Ｈの内鍔２４ＨＦに衝合するので、捕捉具本体２４は、この内鍔２４ＨＦ、ねじ２６を介して回り止め片２２の杆部２２Ｒに固定される。従って、回り止め片２２と捕捉具本体２４とは、ケース２の天板２Ｔを挟んでねじ２６によって相互に接近するように締め付けられて天板２Ｔに固定され、これによって、回り止め片２２は、鉤部２２ＨＫが天板２Ｔの前縁２ＴＥに係止して回り止めされ、また捕捉具本体２４は、回り止め片２２の杆部２２Ｒの非円形な小判形状の外周面に係合する係入孔２４Ｈの非円形孔内面２４ＨＰによって回り止めされる。
【００２３】
なお、図示の形態では、図２及び図３に示すように、回り止め片２２と天板２Ｔの外面との間及び捕捉具本体２４と天板２Ｔの内面との間にパッキング２２Ｐ、２４Ｐが配置されて回り止め片２２と捕捉具本体２４との締付けの緩みを防止するようにしている。
【００２４】
図３から解るように、回り止め片２２の杆部２２Ｒが貫通する天板２Ｔの貫通孔２ＴＨは、ガラスやアクリルに穿孔し易い円形の孔とするのが好ましい。
【００２５】
被捕捉具３０は、既に述べたように、鉄の如き強磁性体の略Ｕ字形の被捕捉具本体３２を含み、この被捕捉具本体３２は、図６に示すように、左右の扉半部３Ｌ、３Ｒの相互に相対する端部にそれぞれパッキング３４を介して弾性的に挟み付けて取り付けられている。なお、被捕捉具本体３２は、正面側に摘み３２Ｋを有する。
【００２６】
この被捕捉具３０を有する扉半部３Ｌ、３Ｒをケース２に閉じると、扉閉じ位置でこの被捕捉具３０が対応するようにケース２に対して予め位置設定された捕捉具本体２４の磁石２４Ｍに衝合、吸着して扉半部３Ｌ、３Ｒがケース２に捕捉され扉２の閉じ状態が維持される。扉３Ｌ、３Ｒは、通常のように、その押し込みによって被捕捉具３０が捕捉具本体２４の磁石２４Ｍから離反して開かれる。
【００２７】
上記の実施の形態では、磁石吸着式の扉キャッチャー１０に本発明を適用した例を示したが、図７に示す嵌め込み式の扉キャッチャー１０Ｍにも本発明を適用することができる。この扉キャッチャー１０Ｍは、捕捉具２０Ｗと被捕捉具３０Ｗの一方に雄湾曲片を有し他方にこの雄湾曲片が係入する１対の雌湾曲受け止め片を有し、雄湾曲片を弾性雌湾曲受け止め片に抜け止め状態で係入して捕捉具２０Ｗに被捕捉具３０Ｗを捕捉して扉をケースに保持している。
【００２８】
なお、図１乃至図６の実施の形態では、１対の扉半部３Ｌ、３Ｒを左右に開閉する形態のキャビネットに適用したが、１つの扉を片開きするキャビネットにも同様に適用することができ、その場合、捕捉具は、ケースの天板以外に側板にも取り付けることができ、この場合には被取付け板は、天板ではなく側板となる。
【００２９】
また、図示の実施の形態では、杆部２２Ｒが被取付け板２Ｔの貫通孔２ＴＨに貫通させて被取付け板２Ｔの内面で捕捉具２４の係入孔２４Ｈに係入しているが、捕捉具本体２４の係入孔２４Ｈを有して被取付け板２Ｔの貫通孔（円形の貫通孔）２ＴＨに入り込む部分を有する場合には、回り止め片２２の杆部２２Ｒは、被取付け板２Ｔの貫通孔２ＴＨを貫通することなく、この貫通孔２ＴＨに入っているだけで捕捉具本体２４の係入孔２４Ｈに係入することができ、本発明は、このような実施の形態も含むものである。ただし、この形態では、図示の実施の形態で可能な捕捉具本体２４の位置調節をすることができないが、円形の貫通孔２ＴＨでも回り止めすることができる点で本発明の課題を解決することができる。
【産業上の利用可能性】
【００３０】
本発明によれば、捕捉具本体は、回り止め片から延びてケースの被取付け板を貫通する１つの杆部が係入する係入孔を有し、この杆部と係入孔とは、非円形面で相互に係合しているので、回り止め片と捕捉具本体とは、被取付け板に１つの貫通孔を有するだけで回り止め状態で取り付けることができ、従って、例えば、複数の孔を接近して設けることができないガラス製又はアクリル製のケースの被取付け板に捕捉具本体を有利に固定することができ、高い産業上の利用性を有する。
【符号の説明】
【００３１】
１  キャビネット
２  ケース
２Ｈ  開口
２Ｔ  天板（被取付け板）
２ＴＨ  貫通孔
２ＴＥ  天板の前縁
３  扉
３Ｌ、３Ｒ  扉半部
１０、１０Ｍ  扉キャッチャー
２０  捕捉具
２０Ｗ  １対の雌湾曲受止め片
２２  回り止め片
２２ＨＫ  鉤部
２２Ｒ  杆部
２２ＲＰ  小判形状の外周面
２２ＲＴ  ねじ孔
２２Ｐ  パッキング
２４  捕捉具本体
２４Ｈ  係入孔
２４ＨＰ  平坦な内面
２４ＨＦ  内鍔
２４Ｍ  磁石
２４Ｐ  パッキング
２６  ねじ
３０  被捕捉具
３０Ｗ  雄湾曲片
３２  被捕捉具本体
３２Ｋ  摘み
３４  パッキング
Ｄ２２  杆部の寸法
Ｄ２４  係入孔の寸法
【図１】
0005431243.tif 000002
【図２】
0005431243.tif 000003
【図３】
0005431243.tif 000004
【図４】
0005431243.tif 000005
【図５】
0005431243.tif 000006
【図６】
0005431243.tif 000007
【図７】
0005431243.tif 000008
【図８】
0005431243.tif 000009
【図９】
0005431243.tif 000010